Podtech/llm-jp-corpus-v4-ja_patent huggingface dataset:
(57)【要約】【課題】従来の骨盤底筋トレーニング容易でない、なかなか尿もれ改善されない。骨盤底筋強化体操・腕立せ伏せ、尿もれ悩む人達の役に立てると確信、友人も同様、喜んで感動、この喜びを世界に広めたい、発明特許出願、尿もれ悩み女性に多く、腹圧性２０００万人以上とか、冷え、水分取り過ぎ、骨盤底筋緩むと、尿もれが起きるという。【解決手段】骨盤底筋強化体操・腕立せ伏せ、手は肩幅に広げ、両足の膝、両足の親指をつけ、腰を上下に、力強く、大きく、腰・陰部をぎゆっと押し上げ、３秒そのまま、腰を下げるの動作、自動的に骨盤底筋を締めたり緩めたりする。１分で２０回、３〜４分間繰り返し行う。毎日、朝・夕・寝る前、１日９〜１２分間行う。骨盤底筋強化、尿もれ改善。容易・簡単、気楽に体操、習慣とする、継続は力なり。骨盤内の血流も良くなり、冷えも防止、腕も鍛えられ健康寿命延ばすにも効果。【選択図】図１
2018057787.tif 000002
【特許請求の範囲】
【請求項１】
骨盤底筋強化体操・腕立せ伏せ、手は肩幅に広げ、両足の膝、両足の親指をつけ、腰を上下に、力強く、大きく、腰・陰部をぎゆっと押し上げ、３秒そのまま、腰を下げるの動作、自動的に骨盤底筋を締めたり緩めたりする。
１分で２０回、３〜４分間繰り返し行う。毎日、朝・夕・寝る前、１日９〜１２分間行う。
骨盤底筋強化、尿もれ改善。容易・簡単、気楽に体操、習慣とする、継続は力なり。
骨盤内の血流も良くなり、冷えも防止、腕も鍛えられ、筋力もつき、余分な脂肪を減り、健康寿命延ばすにも効果。
【発明の詳細な説明】
【技術分野】
【０００１】  本発明は、体操・腕立せ伏せで尿もれ改善、骨盤底筋強化体操に関する。
【背景技術】
【０００２】  従来の骨盤底筋トレーニング、仰向けの姿勢、仰向けに寝て、足を肩幅に開き、両膝を立て、陰部全体を引き上げる感じで、骨盤底筋を締める、力を抜く、の１分間のサイクルを１０回、１０分間繰り返し行う。非特許文献２参照。
【先行技術文献】
【非特許文献】
【０００３】
【非特許文献１】  日本泌尿器科学会、インターネット情報、２０１５年０５月１８日、Ｐ．１〜２
【非特許文献２】  ユニチャーム、インターネット情報、２０１５年０８月１１日、Ｐ．１
【発明の概要】
【発明が解決しようとする課題】
【０００４】  従来の骨盤底筋トレーニング、容易でない、情報通り、骨盤底筋を締める、力を抜く、の１分間のサイクルを１０回、１０分間以上、毎日、繰り返し行ってもなかなか尿もれ改善されない。【０００５】  本発明の骨盤底筋強化体操・腕立せ伏せ、尿もれ悩む人達の役に立てると確信、友人も同様、喜んで感動、この喜びを世界に広めたい、発明特許出願、尿もれ悩み女性に多く、腹圧制２０００万人以上とか、冷え、水分取り過ぎ、骨盤底筋緩むと、尿もれが起きるという。
【課題を解決するための手段】
【０００６】  本発明の骨盤底筋強化体操・腕立せ伏せ、手は肩幅に広げ、両足の膝、両足の親指をつけ、腰を上下に、力強く、大きく、腰・陰部をぎゆっと押し上げ、３秒そのまま、腰を下げるの動作、自動的に骨盤底筋を締めたり緩めたりする。
１分で２０回、３〜４分間繰り返し行う。毎日、朝・夕・寝る前、１日９〜１２分間行う。
骨盤底筋強化、尿もれ改善。容易・簡単、気楽に体操、習慣とする、継続は力なり。
【発明の効果】
【０００７】  上述したように本発明の骨盤底筋強化体操・腕立せ伏せの動作、自動的に骨盤底筋を締めたり緩めたりする。骨盤底筋強化、尿もれ改善。
骨盤内の血流も良くなり、冷えも防止、腕も鍛えられ、筋力もつき、余分な脂肪も減り、健康寿命延ばすにも効果。
【図面の簡単な説明】
【０００８】
【図１】  本発明の実施形態を示す骨盤底筋強化体操・腕立せ伏せ図
【発明を実施するための形態】
【０００９】  上述したように、手は肩幅に広げ、両足の膝、両足の親指をつけ、腰を上下に、力強く、大きく、腰・陰部をぎゆっと押し上げ、３秒そのまま、腰を下げる。
１分で２０回、３〜４分間繰り返し行う。
毎日、朝・夕・寝る前、１日、９〜１２分間行う。習慣とする、継続は力なり。
【図１】
2018057787.tif 000003
(57)【要約】【課題】本発明は、一本のハンガーで幾つものハンガーをタテに掛けることを目的としたハンガー掛を提供する。【解決手段】不等辺のＬ板部材（１０）の短辺面（１１）から長辺面（１２）にかけてＬの開口を設け長辺面のＬ開口の端から空き（１３）をとり四角の開口を設け四角の開口の左右側面（１４）に穴（１５）を開け四角の開口の端から長辺面の平板端部まで開口幅で四角の開口の穴まで切り下げ（１６）、次に四角の開口の左右側面（１４）の穴（１５）に左右に爪のあるコ型の曲げ物（１７）を差込むと切り下げ（１６）面に左右に爪のあるコ型の曲げ物（１７）がおさまる。以上を特徴とするハンガーにハンガー掛である。【選択図】図１
2018057782.tif 000002
【特許請求の範囲】
【請求項１】
不等辺のＬ板部材（１０）の短辺面（１１）から長辺面（１２）にかけてＬの開口を設け長辺面のＬ開口の端から空き（１３）をとり四角の開口を設け四角の開口の左右側面（１４）に穴（１５）を開け四角の開口の端から長辺面の平板端部まで開口幅で四角の開口の穴まで切り下げ（１６）、次に四角の開口の左右側面（１４）の穴（１５）に左右に爪のあるコ型の曲げ物（１７）を差込むと切り下げ（１６）面に左右に爪のあるコ型の曲げ物（１７）がおさまる。
以上を特徴とするハンガーにハンガー掛である。
【発明の詳細な説明】
【技術分野】
【０００１】本発明は、一本のハンガーで幾つものハンガーをタテに掛けることを目的としたハンガー掛に関するものである。
【背景技術】
【０００２】従来、ハンガー一本ごとにハンガー掛ないしはハンガーパイプに掛けていた。
【先行技術文献】
【０００３】
【発明の概要】
【発明が解決しようとする課題】
【０００４】そのため、次のような問題点があった。
（イ）横並びにハンガー掛にハンガーを掛けると雑然としていた。
（ロ）限られた長さのハンガーパイプに掛けたハンガーがかさばっていた。
本発明は、これらの問題点を解決するためになされたものである。
【課題を解決するための手段】
【０００５】不等辺のＬ板部材（１０）の短辺面（１１）から長辺面（１２）にかけてＬの開口を設け長辺面のＬ開口の端から空き（１３）をとり四角の開口を設け四角の開口の左右側面（１４）に穴（１５）を開け四角の開口の端から長辺面の平板端部まで開口幅で四角の開口の穴まで切り下げ（１６）、次に四角の開口の左右側面（１４）の穴（１５）に左右に爪のあるコ型の曲げ物（１７）を差込むと切り下げ（１６）面に左右に爪のあるコ型の曲げ物（１７）がおさまる。
以上を特徴とするハンガーにハンガー掛である。
【特許の効果】
【０００６】ハンガーのフックにＬの開口部を差込みハンガーの肩におき別のハンガーをコ型の曲げ物に掛けて使うと、
タテに掛けることができ横並びに掛けたハンガーの雑然さが解消でき、ハンガーパイプに掛けてもこのハンガー掛によりかさばりを解消できる。
本発明は、ハンガーにハンガー掛である。
【図面の簡単な説明】
【０００７】
【図１】  本発明の斜視図
【図２】  本発明のコ型の曲げ物図
【図３】  本発明の取付図
【発明を実施するための形態】
【０００８】  以下、本発明の実施の形態について説明する。
不等辺のＬ板部材（１０）の短辺面（１１）から長辺面（１２）にかけてＬの開口を設け長辺面のＬ開口の端から空き（１３）をとり四角の開口を設け四角の開口の左右側面（１４）に穴（１５）を開け四角の開口の端から長辺面の平板端部まで開口幅で四角の開口の穴まで切り下げ（１６）、次に四角の開口の左右側面（１４）の穴（１５）に左右に爪のあるコ型の曲げ物（１７）を差込むと切り下げ（１６）面に左右に爪のあるコ型の曲げ物（１７）がおさまる。
本発明は以上のような構成である。
これを使用するときは、
ハンガーのフックにＬの開口部を差込みハンガーの肩におき別のハンガーをコ型の曲げ物に掛けて使う。
これを繰り返すことにより幾つものハンガーを掛けることができる。
【符号の説明】
【０００９】１０  Ｌ板部材
１１  短辺面
１２  長辺面
１３  空き
１４  四角の開口の左右側面
１５  四角の開口の左右側面の穴
１６  切り下げ面
１７  左右に爪のあるコ型の曲げ物
【図１】
2018057782.tif 000003
【図２】
2018057782.tif 000004
【図３】
2018057782.tif 000005
(57)【要約】【課題】本発明は食材のおろし作業が簡単にでき、しかもおろす食材が少量になった時に発生するおろし歯と指の接触を防止し、安全に作業できる湾曲可能なシート形態を有するおろしシートを提供する。【手段】湾曲可能なシート（１）の表面に施されたおろし歯を（２）とし、おろし歯（２）の反対方向に施された保持歯を（３）とすることを特徴とするおろしシート。【選択図】図１
2018057781.tif 000002
【特許請求の範囲】
【請求項１】
湾曲可能なシート（１）の表面におろし歯（２）を設け、おろし歯（２）の反対方向に保持歯（３）を設けたおろしシート。
【発明の詳細な説明】
【技術分野】
【０００１】本発明は食材のおろし作業が簡単にでき、しかもおろす食材が少量になった時に発生するおろし歯と指の接触を防止し、安全に作業できる湾曲可能なシート形態を有するおろし金に関するものである。
【背景技術】
【０００２】従来、食材をおろす場合は、平面また歯局面を有する板状の表面におろし歯を形成させたおろし金を使用していた。
また、食材を手で保持しおろし歯に当て、食材をおろし歯の上をすりながら移動させることで食材を擦り下ろしていた。
一方、食材の量が少なくなった場合は、おろしの歯に指が接触しない前に作業を終了することで対応していた。
【先行技術文献】
【０００３】
【特許文献１】特開２００５−０７３８６１号公報
【特許文献２】実登３１７２８４３号公報
【特許文献３】実登３１４０６７６号公報
【発明の概要】
【発明が解決しようとする課題】
【０００４】従来のおろし金は次のような欠点があった。
（イ）、食材を手で保持しおろし金の歯に食材を当ててするため、食材が大きい物では食材を保持するための力が必要となり疲労感が増大する問題があった。
（ロ）、おろす食材がの少量になってきた場合は食材を残し作業を終了していたため、食材が無駄になってしまっていた。
（ハ）、前述（ロ）の食材の無駄を無くそうと無理してすり続けた場合、おろし金の歯に指が接触してしまい怪我をする危険があった。
本発明は、以上の問題点を解決するために発明されたものである。
【発明が解決するための手段】
【０００５】  湾曲可能なシート（１）の表面に施されたおろし歯を（２）とし、おろし歯（２）の反対方向に施された保持歯を（３）とする。
また、おろし歯（２）の周辺３方向に枠（５）を施し、保持歯（３）側の端部に掻き出しブラシ（４）を施す。
更に、保持歯（３）の反対面に指通し（６）を施す。
以上の構成よりなるおろしシート。
【発明の効果】
【０００６】  本発明を使用することによって、食材をすりおろす面と反対側の面で食材を確実に保持できるため、あまり力のない人でも楽におろし作業ができる。
また本発明は、食材を保持している部分がシート表面に施された歯であるため、すりおろす人の指が直接歯に当たることがなく安全に作業することができる。
【図面の簡単な説明】
【０００７】
【図１】本発明の斜視図（表面）
【図２】本発明の斜視図（裏面）
【図３】本発明の断面図
【図４】本発明の使用状態を示す斜視図
【図５】本発明の使用状態を示す斜視図
【０００８】  以下、本発明の実施の形態を説明する。
（イ）、湾曲可能なシート（１）の片側表面に、おろし歯（２）を設け、おろし歯（２）の反対側片面に保持歯（３）を設ける。
（ロ）、おろし歯（２）の周辺３方向に枠（５）を施し、保持歯（３）側の端部に掻き出しブラシ（４）を施す。
（ハ）、保持歯（３）の反対面に指通し（６）を施す。
本発明は以上の構成よりなる。
本発明は以上の構成からなるので本発明を使用する場合は、おろし歯（２）の上に、すりおろしたい食材（７）を置き手ですりおろす。
また、おろし歯（２）の上にある食材（７）が手で把持し難い場合は、保持歯（３）で食材（７）を保持しすりおろす。この時、保持歯（３）の裏側に設けられた指通し（６）に中指等の指を通すことで更に食材（７）を保持しやすくする。
ここで食材（７）が少量になったり薄くなった場合も、食材（７）を保持歯（３）で保持したまま最後まで安全にすりおろすことができる。
一方、すりおろした食材はおろし歯（２）の３方に設けられた枠（５）に一定量溜められる。
さらに、おろし歯（２）に詰まった食材は掻き出しブラシ（４）によって取り除く。
【符号の説明】
【０００９】１  湾曲可能なシート
２  おろし歯
３  保持歯
４  掻き出しブラシ
５  枠
６  指通し
７  食材
【図１】
2018057781.tif 000003
【図２】
2018057781.tif 000004
【図３】
2018057781.tif 000005
【図４】
2018057781.tif 000006
【図５】
2018057781.tif 000007
(57)【要約】【課題】  本発明は、トイレットペーパーの向きを自由に回転できるトイレットペーパーホルダーを提供するものである。【解決手段】  壁面に取り付けるための支持部材と、ホルダー部を回転可能なようにボルト等の回転軸を介して接続した構成にする。支持部材でトイレ内の壁に取り付け固定するが、それに接続されたホルダー部は回転軸を中心に、適切な向きに回転させることができる。以上を特徴とするトイレットペーパーホルダー。【選択図】図１
2018057784.tif 000002
【特許請求の範囲】
【請求項１】
壁に取り付け固定するための支持部材と、ホルダー部を回転可能にするためボルト等の回転軸を介して接続した構成にし、支持部材でトイレ内の壁面に取り付け固定するが、それに接続されたホルダー部は回転軸を中心に、適切な向きに回転させることができる。以上を特徴とするトイレットペーパーホルダー。
【請求項２】
トイレ内の壁面に取り付け固定するための支持部材が板状であり、それに回転軸を介してホルダー部が接続された、請求項１のトイレットペーパーホルダー。
【発明の詳細な説明】
【技術分野】
【０００１】  本発明は、トイレットペーパーの向きを左右に回転できるトイレットペーパーホルダーに関するものである。
【背景技術】
【０００２】  従来のトイレットペーパーホルダーは、トイレ内の壁面に設置されるように設計されている。ホルダー本体を壁面に取り付ける方式でカッターが工夫されたもの（特許文献１参照）や、トイレットペーパーを簡単に取り出せる工夫がなされたもの（特許文献２参照）などがあった。
【先行技術文献】
【特許文献】
【０００３】
【特許文献１】  特開平１１−２０６６１７号広報
【特許文献２】  特開２０１３−０８５９４０号広報
【発明の概要】
【発明が解決しようとする課題】
【０００４】  従来のトイレットペーパーホルダーは、便器から見て前面の壁に設置されている場合は問題ないが、左側や右側の側壁に設置されている場合は、トイレットペーパーが壁に平行に取り付けられているため、次のような問題点があった。
便座に座った状態でトイレットペーパーを引き出そうとすると、トイレットペーパーの芯に対して斜め方向に引き出すことになり、トイレットペーパーが折れ曲がったりちぎれたりして非常に使いづらかった。
トイレットペーパーの芯に直角に（壁に直角に）引き出せばこのような問題は発生しないが、自分の手前向きとは異なる向きに引き出すのは、結構難しいという問題があった。
本発明はこのような問題点を解決するためになされたものである。
【課題を解決するための手段】
【０００５】  壁面に取り付けるための支持部材と、ホルダー部を回転可能なようにボルト等の回転軸を介して接続した構成にする。支持部材でトイレ内の壁面に取り付け固定するが、それに接続されたホルダー部は回転軸を中心に、左右の適切な向きに回転させることができる。以上を特徴とする回転式トイレットペーパーホルダーである。
【発明の効果】
【０００６】  トイレットペーパーホルダーを回転させて壁に対して斜めに設置することで、手前にスムーズに引き出すことができる。
【図面の簡単な説明】
【０００７】
【図１】  本発明の斜視図である。
【図２】  （ａ）は従来品トイレットペーパーホルダーを設置した時のトイレ平面図であり、（ｂ）は本発明トイレットペーパーホルダーを設置した時のトイレ平面図である。
【図３】  本発明変形例の斜視図である。
【図４】  （ａ）は本発明変形例の側面図であり、（ｂ）は本発明変形例のブリッジ部を示す図である。
【発明を実施するため形態】
【０００８】  以下、本発明の実施の形態について説明する。
壁面に取り付けるための支持部材１と、ホルダー部３を回転可能なようにボルト等の回転軸２を介して接続した構成にし、支持部材１でトイレ内の壁に取り付け固定する。支持部材１にボルト等の回転軸２で接続されたホルダー部３は、回転軸２を中心に適切な向きに回転させることができる。
以上を特徴とする回転式トイレットペーパーホルダーであり、従来品トイレットペーパーホルダー４と本発明トイレットペーパーホルダー５をトイレ内に設置した場合の平面図を図２に示す。
なお、トイレ内の壁に取り付け固定するための支持部材は図１に示すような棒状である必要はなく、図２に示すように板状にして板状支持部材６とし、それに回転軸を介してホルダー部７を接続してもよい。
またホルダー部７は、図１のような構造でもよいし、図３のようにワンタッチでトイレットペーパーを取り付けられる主流の構造のものでもよい。ホルダー部３やホルダー部７の形状や材質は制限されない。
本発明変形例の板状支持部材６とホルダー部７の接続は、木ねじ９などを用いてブリッジ部８にあけた穴を通して板状支持部材６に止めるとよい。そうすることによって木ねじ９を中心に、左右に回転させることができる。
本発明は以上のような構成である。
これを使用するときはトイレの壁に取り付けて用いるが、それぞれのトイレに合わせて、便座に座った状態で最もトイレットペーパーを引き出しやすい向きに回転させておく。そうすることによって、スムーズにトイレットペーパーを引き出すことができる。
【符号の説明】
【０００９】
【図１】
2018057784.tif 000003
【図２】
2018057784.tif 000004
【図３】
2018057784.tif 000005
【図４】
2018057784.tif 000006
(57)【要約】【課題】家庭で使い易く、手が汚れない貝殻洗い具を提供する。【解決手段】  貝殻についた汚れを除去する貝殻洗い具であって、この貝殻洗い具は、略長円形の板状の本体と、この本体の一端から延在する細長い形状の柄とから構成され、この本体は外周には複数の突起を備え、中央には略長円形の孔を設けたことを特徴とする貝殻洗い具。【選択図】図２
2018057773.tif 000002
【特許請求の範囲】
【請求項１】
貝殻についた汚れを除去する貝殻洗い具であって、この貝殻洗い具は、略長円形の板状の本体と、この本体の一端から延在する細長い形状の柄とから構成され、この本体は外面に複数の突起を備えたことを特徴とする貝殻洗い具。
【請求項２】
請求項１の貝殻洗い具の本体の中央近傍に略長円形の孔を設けたたことを特徴とする貝殻洗い具。
【請求項３】
請求項１の貝殻洗い具の本体にバーリング突起を設けたことを特徴とする貝殻洗い具。
【請求項４】
請求項１の貝殻洗い具の本体の外周に複数の突起を設けたことを特徴とする貝殻洗い具。
【請求項５】
請求項１の貝殻洗い具の本体に切り曲げ突起を設けたことを特徴とする貝殻洗い具。
【請求項６】
請求項１の貝殻洗い具の本体にブラシ突起を設けたことを特徴とする貝殻洗い具。
【発明の詳細な説明】
【技術分野】
【０００１】  この発明は、貝殻の表面に付いた汚れを除去するための貝殻洗い具に関する。
【背景技術】
【０００２】  アサリやハマグリ等の貝の貝殻の表面には汚れが付着しているので、手で貝殻を揉むようにして汚れを取っていた。しかし、このようにすると手が汚れてしまう問題があった。
【先行技術文献】
【特許文献】
【０００３】
【特許文献１】特開２０１１−１９４９４
【発明の概要】
【発明が解決しようとする課題】
【０００４】  従来、貝殻を清掃するための業務用の洗浄装置が特許文献１に開示されたいたが、家庭用の簡便な貝殻洗い具が存在しなかった。
【課題を解決するための手段】
【０００５】  貝殻についた汚れを除去する貝殻洗い具であって、この貝殻洗い具は、略長円形の板状の本体と、この本体の一端から延在する細長い形状の柄とから構成され、この本体は外面に複数の突起を備えたことを特徴とする貝殻洗い具。
【発明の効果】
【０００６】  この発明により上記の問題点を解決し、家庭で使い易く、手が汚れない貝殻洗い具を提供することができる。
【図面の簡単な説明】
【０００７】
【図１】第一の実施例の貝殻洗い具の斜視図である。
【図２】第一の実施例の貝殻洗い具の使用状態を示す斜視図である。
【図３】第一の実施例の貝殻洗い具の六面図である。背面図は正面図と上下対称に表れる。底面図は平面図と同一に表れる。
【図４】第二の実施例の貝殻洗い具の平面図である。
【図５】第三の実施例の貝殻洗い具の平面図である。
【図６】第四の実施例の貝殻洗い具の平面図である。
【図７】第五の実施例の貝殻洗い具の六面図である。背面図は正面図と上下対称に表れる。
【図８】第六の実施例の貝殻洗い具の六面図である。背面図は正面図と同様に表れる。底面図は平面図と同様に表れる。
【発明を実施するための形態】
【０００８】  貝殻についた汚れを除去する貝殻洗い具であって、この貝殻洗い具は、略長円形の板状の本体と、この本体の一端から延在する細長い形状の柄とから構成され、この本体は外面に複数の突起を備えたことを特徴とする貝殻洗い具。
【０００９】  上記の貝殻洗い具の本体の中央近傍に略長円形の孔を設けたたことを特徴とする貝殻洗い具。
上記の貝殻洗い具の本体にバーリング突起を設けたことを特徴とする貝殻洗い具。
上記の貝殻洗い具の本体の外周に複数の突起を設けたことを特徴とする貝殻洗い具。
上記の貝殻洗い具の本体に切り曲げ突起を設けたことを特徴とする貝殻洗い具。
上記の貝殻洗い具の本体にブラシ突起を設けたことを特徴とする貝殻洗い具。
【実施例】
【００１０】  図１と図３により第一の実施例の貝殻洗い具を説明する。第一の実施例の貝殻洗い具１０は、略長円形の板状の本体２０と、この本体２０の一端から延在する細長い形状の柄３０とから構成されている。本体２０は外周には複数の突起２１を備え、中央には略長円形の孔２２が設けてある。【００１１】  この実施例の貝殻洗い具１０は、金属板をプレスして一体成型しても良いし、プラスチックで一体成型しても良い。本体２０は、長円形の皿状の形状を有して、中央には孔２２が設けられている。長円形の外周と孔２２の内周には突起２１が形成されている。本体２０の一端から細長い柄３０が延在している。【００１２】  図２により、貝殻洗い具１０の使用方法を説明する。貝４０と水をボウル５０に入れ、貝殻洗い具１０を挿入して掻き混ぜて、貝殻の表面に付いた汚れを除去することができる。本体２０には突起２１が設けられているので、貝殻の表面を引っ掻いて汚れを除去することができる。また、貝殻が孔２２を通過するときに、内周に設けられた突起２１により除去効果を向上することができる。従来のように、手で貝殻を触る必要がないので、手が汚れたり、臭くなったりすることがない利点がある。【００１３】  図４は、第二の実施例の貝殻洗い具１０であり、第一の実施例の貝殻洗い具１０に加え、小突起２４を設けたものである。
図５は、第三の実施例の貝殻洗い具１０であり、本体２０の上面に複数のバーリング突起２５を設けたものである。【００１４】  図６は、第四の実施例の貝殻洗い具１０であり、本体２０の上面に複数の切り曲げ２６を設けたものである。何れも突起を増やして、貝殻の汚れを取り易くしたものである。【００１５】  図７は、第五の実施例の貝殻洗い具１０であり、本体２０の上面全体にブラシ突起２７を設けたものである。多数のブラシ突起２７を設けて洗浄の効率を向上させることができる。この実施例では、プラスチックの本体２０とブラシ突起２７は一体に成型されているが、ブラシ突起２７を植毛しても良い。【００１６】図７は第五の実施例の貝殻洗い具であり、ブラシ突起２７を本体２０の両面に設けたものである。両面のブラシ突起２７により、除去の効率をより向上することができる。
【産業上の利用可能性】
【００１７】  この発明は、アサリやハマグリなどの貝殻を洗う貝殻洗い具に利用可能である。
【符号の説明】
【００１８】１０は貝殻洗い具
２０は本体
２１は突起
２２は孔
２４は小突起
２５はバーリング突起
２６は切り曲げ突起
２７はブラシ突起
３０は柄
３１は係止孔
４０は貝
５０はボウル
【図１】
2018057773.tif 000003
【図２】
2018057773.tif 000004
【図３】
2018057773.tif 000005
【図４】
2018057773.tif 000006
【図５】
2018057773.tif 000007
【図６】
2018057773.tif 000008
【図７】
2018057773.tif 000009
【図８】
2018057773.tif 000010
(57)【要約】      （修正有）【課題】羽のような突起物によって回転力を得るものから凹カーブをもつものを羽の代替として使用することで回転力を得ることを提供する。【解決手段】スプーン先端部（１）を帯状のもの（２）に規則的に配置する。これを円盤状のもの（３）の円周上に環状に設置することで、軸（４）に回転運動を生じることを特徴とする。【選択図】なし【特許請求の範囲】
【請求項１】
スプーンの先端部のような凸状のものを凸の方を中心に向けて円周上に配置し、凹状の穴を利用して、回転運動を得るもの。
【発明の詳細な説明】
【技術分野】
【０００１】  この発明は、ある凹カーブをもつ部品を帯状のものに規則的に配置したものを円盤状の円周上に環状に取り付け、これを流動体に接触させて回転運動を得るぽこぽこぽこりんに関するものである。
【背景技術】
【０００２】  運動している力とこの力を受ける面を対峙させることで回転を得ていたが、力とある曲面を接触させることで回転を得るものである。
【先行技術文献】
【特許文献】
【０００３】
【発明の概要】
【発明が解決しようとする課題】
【０００４】  これは次のような欠点があった。
（イ）流れに進入するときに受ける面に逆向きの力が働くこと。
（ロ）羽が突起上になっているので、危険度が高い。
本発明は、以上のような欠点をなくすためになされたものである。
【課題を解決するための手段】
【０００５】  水道の流れにスプーン先端部を接触させると水の流れの方に引き寄せられる。この現象を利用することにしました。このスプーン先端部をスプーンより切断し、切断面を丸く研磨して、亀の甲羅のようにしました。これを円盤状の円周上に凹の方を規則的に配置します。これを呼気にて吹くとくるくるとよく回ります。
本発明は、以上の構成よりなるぽこぽこぽこりんである。
【発明の効果】
【０００６】  （イ）呼気で回るのであれば、水道水でも回るのではないかと思い、水道水の流れに接触すると同様に回りました。これによって、流れの媒体は、液体や気体とを問わないことから流動体の力を源泉とすることができます。
（ロ）凹曲面の回転になるので、回転体に接触することでのみ危険となり、羽状ものより危険度がかなり軽減される。
【図面の簡単な説明】
【０００７】  特願２０１６−１０２８２７の図面に類似して、凸状のものを凹状にするとなる。
【発明を実施するための形態】
【０００８】  以下、本発明を実施するための形態について説明する。
スプーンの柄の方を切断し、残った先端部の切断面を丸く研摩する。これをスプーンの  先端部（１）と呼ぶ。これを複数個作成する。
帯状のもの（２）に規則的にこれらを配置するとスプーンの先端部が帯状のものに凹、  凹と連続したものができる。
今度は、これを円盤状のもの（３）の円周上に取り付ける。
円盤状のもの（３）の中心に軸（４）を入れる。
本発明は、以上のような構造である。
簡単に言えば、独楽の外周に凹凹が付いているものである。外周の凹凹に力を加えると回転が生じる。この回転を利用するものです。
【符号の説明】
【０００９】    １  スプーンの先端部
２  帯状のもの
３  円盤状のもの
４  軸
【手続補正書】
【提出日】平成29年3月17日(2017.3.17)
【手続補正１】
【補正対象書類名】明細書
【補正対象項目名】全文
【補正方法】変更
【補正の内容】
【発明の詳細な説明】
【技術分野】
【０００１】  この発明は、ある凹カーブをもつ部品を帯状のものに規則的に配置したものを円盤状の円周上に環状に取り付け、これを流動体に接触させて回転運動を得るぽこぽこぽこりんに関するものである。
【背景技術】
【０００２】  運動している力とこの力を受ける面を対峙させることで回転を得ていたが、力とある曲面を接触させることで回転を得るものである。
【先行技術文献】
【特許文献】
【０００３】
【発明の概要】
【発明が解決しようとする課題】
【０００４】  これは次のような欠点があった。
（イ）流れに進入するときに受ける面に逆向きの力が働くこと。
（ロ）羽が突起上になっているので、危険度が高い。
本発明は、以上のような欠点をなくすためになされたものである。
【課題を解決するための手段】
【０００５】  水道の流れにスプーン先端部を接触させると水の流れの方に引き寄せられる。この現象を利用することにしました。このスプーン先端部をスプーンより切断し、切断面を丸く研磨して、亀の甲羅のようにしました。これを円盤状の円周上に凹の方を規則的に配置します。これを呼気にて吹くとくるくるとよく回ります。
本発明は、以上の構成よりなるぽこぽこぽこりんである。
【発明の効果】
【０００６】  （イ）呼気で回るのであれば、水道水でも回るのではないかと思い、水道水の流れに接触すると同様に回りました。これによって、流れの媒体は、液体や気体とを問わないことから流動体の力を源泉とすることができます。
（ロ）凹曲面の回転になるので、回転体に接触することでのみ危険となり、羽状ものより危険度がかなり軽減される。
【発明を実施するための形態】
【０００７】  以下、本発明を実施するための形態について説明する。
スプーンの柄の方を切断し、残った先端部の切断面を丸く研磨する。これをスプーンの先端部と呼ぶ。これを複数個作成する。
帯状のものに規則的にこれらを配置するとスプーンの先端部が帯状のものに凹、凹と連続したものができる。
今度は、これを円盤状のものの円周上に取り付ける。
円盤状のものの中心に軸を入れる。
本発明は、以上のような構造である。
簡単に言えば、独楽の外周に凹凹が付いているものである。外周の凹凹に力を加えると回転が生じる。この回転を利用するものです。
(57)【要約】      （修正有）【課題】矢羽型支持材と踏板とで構成する、簡便に足首のストレッチ角度を変更可能な足首ストレッチ器具の提供。【解決手段】板形の素材に踏み板を係合させる複数の欠込みを設け、踏み板を係合させる位置により踏み板の傾斜角度を選択自由に構成する。【選択図】図３
2018057780.tif 000002
【特許請求の範囲】
【請求項１】
矢羽型支持材▲１▼に欠込み（イ）（ロ）を設け、踏板▲２▼を（イ）または（ロ）に差込み矢羽型支持材▲１▼一枚で四種の傾斜角度の選択を可能とする足首ストレッチ器具。
【請求項２】
矢羽型支持材▲１▼に設ける（イ）（ロ）の欠込み位置を変えることで、矢羽型の傾斜角度の多種類の選択を可能とする請求項１の足首ストレッチ器具。
【請求項３】
踏板▲２▼の側面に溝を設け、片足１セットの踏み板▲２▼の溝に踏板▲３▼を差込み両足用に構成する請求項１の足首ストレッチ器具。
2018057780.tif 000003
【発明の詳細な説明】
【技術分野】
【０００１】  本発明は、矢羽型支持材に、踏板を組合せ構成する簡便な足首ストレッチ器具に関するものである。
【背景技術】
【０００２】  従来のストレッチ器具は両足用である。器具の上で屈伸ストレッチを行うものである。ストレッチ角度の変更は手動で操作する方法がとられている。
【先行技術文献】
【発明の概要】
【発明が解決しようとする課題】
【０００３】従来の手動操作によるストレッチ角度の変更方法を、矢羽型支持材の傾斜角度を利用する方法でストレッチ角度の変更を簡便にしたものである。
【課題を解決するための手段】
【０００４】板形に設けた欠込みの加工位置を変えることにより矢羽支持材のストレッチ角度の設定の自由を可能にしたものである。
【発明の効果】
【０００５】（イ）器具の組み立て分解は簡単にできる。
（ロ）矢羽型支持材を上下反転するだけで異なる角度の選択が可能となった。
（ハ）板形の素材であれば材質は自由である。
（ニ）使用場所を限定しない。
（ホ）運搬収納は容易である。
【図面の簡単な説明】
【０００６】
【図１】矢羽型支持材姿図
【図２】踏板姿図
【図３】ストレッチ角度２２度・１８度構成側面図
【図４】ストレッチ角度２４度・２８度構成側面図
【図５】ストレッチ角度２０度・１５度構成側面図
【図６】ストレッチ角度２６度・３０度構成側面図
【発明を実施するための形態】
【０００７】以下、本発明の実施の形態を図１〜図６に基づいて説明する。
【０００８】図１矢羽型支持材［Ｉ］は（イ）（ロ）の欠込位置で２０度、２２度、２４度、２６度の４種のストレッチ角度を構成する。同様に矢羽型支持材［ＩＩ］は１８度、２８度、１５度、３０度の４種のストレッチ角度を構成する。
【０００９】図２は、矢羽型支持材の（イ）（ロ）の欠込の差込用踏板で▲２▼は片足用である。▲２▼の踏板２枚と▲３▼を組合わせて両足用を構成する。
【００１０】図３、図４、図５、図６は、矢羽型支持材と踏板の構成使用例である。
【産業上の利用可能性】
【００１１】  板形であれば、木質系、樹脂系、紙質系のいずれの素材も利用可能である。森林保護による間伐材の再利用に適する。
【符号の説明】
【００１２】    ▲１▼矢羽型支持材（イ）（ロ）欠込み
▲２▼踏板
▲３▼両足組合せ踏板
【図１】
2018057780.tif 000004
【図２】
2018057780.tif 000005
【図３】
2018057780.tif 000006
【図４】
2018057780.tif 000007
【図５】
2018057780.tif 000008
【図６】
2018057780.tif 000009
(57)【要約】      （修正有）【課題】従来の花ビンはタテ型やヨコ型等の形状の物が多種類あるが、地震などの震動や、ゆれが発生したときには、倒れて水がこぼれたり、花ビンの水に波が出来てこぼれたりするという問題があった。【解決手段】全体をフタ部３と底部が嵌合して球体型になるようにすると共に、底部に第１の筒状水槽を設け、フタ部３に複数本の孔（投入孔４）を開口したパイプを設けて花を生けるられるようにし、そのパイプの外側周囲を囲むように第２の筒状を設ける。嵌合時には、底部内の水が重心となって地震の震動やゆれを吸収して倒れにくくなり、水もこぼれにくく、フタ部３内のパイプは底部内に延びて剣山等がなくても安定な状態を保持する。【選択図】図２
2018057776.tif 000002
【特許請求の範囲】
【請求項１】
全体が球体を成した花ビンであって底部内に筒状の水槽を備え、フタ部に複数のパイプを立植形成し、前記パイプ位置に対応した位置に孔を開口し、前記パイプの外側に周囲を囲むように第１筒状を設け、前記底部と前記フタ部とを嵌合させて前記フタ部の孔に花を投入させることを特徴とする花ビン。
【請求項２】
前記筒状の水槽の水が前記花ビンの重心となることを特徴とする請求項１の記載の花ビン。
【請求項３】
前記パイプは前記底部内に延びていることを特徴とする請求項１〜２記載とする花ビン。
【請求項４】
前記底部内の第１の筒状の水槽の中心に円柱状の第１の筒を形成し前記円柱状の第１に対応した位置に、前記第１の筒より径が若干大きい第２の筒を形成し、第２の筒内には前記パイプが立植的に内設されており、前記底部と前記フタ部を嵌合させると共に、前記フタ部に形成した、前記パイプを前記底部内の水槽に差し入れると同時に前記第２の筒に前記第１の筒を嵌合させることを特徴とする請求項１〜３記載の花ビン。
【請求項５】
第１の筒内の水は起き上がりこぶしの原型に基づくことを特徴とする、請求項１〜４に記載の花ビン。
【発明の詳細な説明】
【技術分野】
【０００１】本発明は花を飾ることの出来る、花ビンに関するものである。
【背景技術】
【０００２】従来の花ビンはタテ型やヨコ型の物が他品種であり（例えば特許文献１参照）振動やゆれにて花ビン内の水がこぼれやすい。【０００３】従来技術は地震などの震動やゆれなど考慮されておらず置き型の花ビンが多種多様である。【０００４】球体型の花ビンも存在しているが、底には平面の物や、糸じり型の台が付いていて一体型になっている。【０００５】例えば、特許文献１特開２００３−３０５２９２１２に開示されている花ビンは底部に磁石を有しており、接続するのに鉄など金具を用意する必要があり、余分な手間がかかり設置が出来ない場所もある。
【先進技術文献】
【特許文献】
【０００６】
【特許文献】特開２００３−３０５２９２１２号  公報
【発明の概要】
【発明が解決しようとする課題】
【０００７】従来の花ビンはタテ型やヨコ型等の形状の物が多種類あるが、例えば、地震等の振動やゆれが発生したときには、花ビン内部にある水がこぼれる等の問題があった。【０００８】本発明はこのような従来の問題を解決しようとするものであり、振動やゆれを吸収して、花ビン内部の水がこぼれにくく、倒れにくくすることを目的とするものである。
【課題を解決するための手段】
【０００９】  本発明は上記目的を達成するために全体を球体型に形成し、底部に第１の筒状の水槽を備えフタ部に複数本のパイプを形成し、パイプの位置に対応した位置に孔を開口し、パイプの外側周囲を囲むように第２の筒状を設け底部とフタ部とを嵌合させて、フタ部の孔に花を投入させる。底部内の筒状の水槽内の水は重心となり、振動やゆれを吸収することにより倒れにくくなるようになり、フタ部内のパイプは底部内に、延びていて剣山等がなくても安定している。
【発明の効果】
【００１０】  上述したように本発明は地震などの震動やゆれでも水がこぼれにくく、倒れにくく、また起き上がり小法師のように元に戻る花ビンを提供できる。【００１１】  また、飾る場所をえらばずに、設置でき、底部内の筒状の水槽に、フタ部の筒状が延長しているので外部への、水のこぼれ止めの効果を発揮するのである。
【発明を実施するための形態】
【００１２】  本発明の実施の形態を示す斜視図、実施の形態に係わる花ビンは、図１に示した球体型でフタ部とを底部を嵌合する構造で構成されている。
【００１３】  上記の花ビンフタ部３の孔４に花を投入、孔４が設けてあり、孔４の下に形成したパイプ８が複数本設けてある。
【００１４】  上記の花ビンは底部６に第１の筒状の水槽５が設けてあり、水槽内の水が重心となり地震などによって生じる震動やゆれを吸収するように形成されている。
【００１５】  上記の花ビンは花投与孔４にエンピツ等を立ててペン立て等にも使用できる構造になっている。
【００１６】  底部第１筒状水槽内の水が重りとなり起き上がり小法師のように振動などのゆれでも元に戻る構造になっている。
【図面の簡単な説明】
【００１７】
【図１】  本発明の実施の形態を示す余視図である
【図２】  花ビンの平面図である
【図３】  花ビンの底部断面図である
【図４】  花ビンのフタ部断面図である
【図５】  花ビンの球体型の断面である
【符号の説明】
【００１８】１  花ビン本体
２  本体の嵌合部
３  フタ部
４  投入孔
５  第一筒状水槽
６  底部断面
７  第二筒状
８  パイプ断面
９  フタ部断面
【図１】
2018057776.tif 000003
【図２】
2018057776.tif 000004
【図３】
2018057776.tif 000005
【図４】
2018057776.tif 000006
【図５】
2018057776.tif 000007
(57)【要約】【課題】  本考案はカーテンタッセルの長さを伸ばしたり縮めたりして、レースのカーテンを任意の位置で開閉することにより、お部屋をすてきに演出できる。【解決手段】  薄く目立たないカーテンタッセル２をレースのカーテン１にまわしてかけてから、固定具３に通してふさがけ４に取付けることにより、任意の位置で固定することができる。【選択図】図１
2018057772.tif 000002
【特許請求の範囲】
【請求項１】
カーテンタッセルを通した固定具おいて、容易に解除・固定をできるようにすることによって、カーテンタッセルの長さを自由に伸ばしたり縮めたりして、カーテンの開閉を任意の位置で固定できるようにしたことを特徴としたカーテンタッセル。
【請求項２】
固定具の中にバネ等をいれて、押す・離すことで解除・固定をさせることを特徴としたカーテンタッセル。
【請求項３】
固定具において板バネ等を使い、押す・離すことで解除・固定をさせることを特徴としたカーテンタッセル。
【請求項４】
固定具において締付け器具を移動させることで、解除・固定をさせることを特徴としたカーテンタッセル。
【発明の詳細な説明】
【技術分野】
【０００１】  本考案はカーテンタッセルを固定具に通して、長さを伸ばしたり縮めたりできる、固定具付のカーテンタッセルに関するものである。
【背景技術】
【０００２】  従来からのカーテンタッセルはカーテンをまとめるものであり、また、レースのカーテンにはカーテンタッセルを使用しておらず、左右を水平に引いて開閉して使用することしかできないため、美しくレースのカーテンを開閉して使用することができるカーテンタッセルが必要であった。
【発明の概要】
【発明が解決しようとする課題】
【０００３】  本考案のカーテンタッセルは、美しくレースのカーテンを開閉して使用することができる固定具付カーテンタッセルを提供することである。
【課題を解決するための手段】
【０００４】  本考案は上記の課題を解決するために、固定具の中にバネ等をいれる、また、板バネ等で挟む、あるいは締付け器具を付けることにより、解除・固定を容易にして、カーテンタッセルの長さを伸ばしたり縮めたりをできる様にすることを特徴とする。
【発明の効果】
【０００５】  カーテンタッセル２の長さを伸ばしたり縮めたりすることで、レースのカーテン１を任意の位置で開閉することができて、お部屋をすてきに演出できる。
【図面の簡単な説明】
【０００６】
【図１】本発明の取付け見取り図である。
【図２】固定具の断面図である。
【図３】異なる実施例を示す固定具の見取り図である。
【図４】異なる実施例を示す固定具の見取り図である。
【図５】本発明の効果を示す見取り図である。
【発明を実施するための形態】
【０００７】  請求項１により、図１に示すように、ふさがけ４に取付けた固定具３により、カーテンタッセル２の長さを任意の位置に固定することができる。
【０００８】  本考請求項２により、図２に示すように、固定具３の中のバネ等５により押したときに自由に長さを変えて、指を離すと固定することができる。
【０００９】  本考請求項３により、図３に示すよう、に板バネ等６を上げたときに自由に長さを変えて、板バネ等６を下げると固定することができる。
【００１０】  本考請求項４により、図４に示すよう、締付け器具７を付けることにより、緩めたときに自由に長さを変えて、締付けると固定することができる。
【符号の説明】
【００１１】  １  レースのカーテン
２  カーテンタッセル
３  固定具
４  ふさがけ
５  バネ
６  板バネ
７  締付け器具
【図１】
2018057772.tif 000003
【図２】
2018057772.tif 000004
【図３】
2018057772.tif 000005
【図４】
2018057772.tif 000006
【図５】
2018057772.tif 000007
(57)【要約】【課題】おんぶ紐兼抱っこ紐の本体部分と紐部分の縫製が断裂しても構造的に分裂することのないおんぶ紐兼抱っこ紐を提供すること。【解決手段】本発明のおんぶ紐兼抱っこ紐は、本体生地に着用者の身体に小児を安定して着座させ着用者と小児を密着させるための紐を有する移動具であり、その本体生地に両肩に伸びる紐が左右で一続きになるように縫製することで紐と本体を縫製する部分の断裂を構造的に防ぐことができ、また縫製部分の強度を強めるものである。【選択図】図１
2018057760.tif 000002
【特許請求の範囲】
【請求項１】
本体外側より伸びる左右の紐が小児の脇の下、着用者の両肩、小児の臀部、小児の膝の裏部分を通り着用者の腰又は腹部で前記紐部分を結ぶことで小児の行動を制限すると共に着用者と小児の密着性を高めつつ固定することのできる機能性を有するおんぶ紐兼抱っこ紐。
【発明の詳細な説明】
【技術分野】
【０００１】
本発明は、小児の移動用おんぶ紐兼抱っこ紐である。
【背景技術】
【０００２】
従来のおんぶ紐兼抱っこ紐は本体から伸びる両肩紐が独立した生地であり、縫製糸が断裂した際に本体と紐が分裂する構造である。
【発明の概要】
【発明が解決しようとする課題】
【０００３】
おんぶ紐兼抱っこ紐の本体部分と紐部分の縫製が断裂しても構造的に分裂することのないおんぶ紐兼抱っこ紐を提供すること。
【課題を解決するための手段】
【０００４】
本発明のおんぶ紐兼抱っこ紐は、本体生地に着用者の身体に小児を安定して着座させ着用者と小児を密着させるための紐を有する移動具であり、その本体生地に両肩に伸びる紐が左右で一続きになるように縫製することで紐と本体を縫製する部分の断裂を構造的に防ぐことができ、また縫製部分の強度を強めるものである。
【図面の簡単な説明】
【０００５】
【図１】本発明の小児の移動用おんぶ紐兼抱っこ紐の外観図
【図２】本発明の小児の移動用おんぶ紐兼抱っこ紐の着用例
【発明を実施するための形態】
【０００６】
図１に示されるように本発明によるおんぶ紐兼抱っこ紐１は、小児の身体を包む役割をする本体生地２と本体生地に縫製された一本の紐生地３からなる構成であるが本体生地２は小児の身体を包みこむ役割があれば形状を指定しない。
【実施例】
【０００７】
装着時は図２に示されるように本体部４の両側端部５から伸びた紐部６は小児の両脇の下をくぐるように通し、着用者の肩部分には小児の重量による負荷が軽減されるように緩衝材７が配置された肩紐部８が当たるように通し、着用者の両わきを通し、小児の臀部9を交差するように通し、小児の両膝又は両大腿部の下をくぐるように通し、着用者の腰又は腹部10で着用者と小児が密着性を保つように結び固定することが望ましい。
【符号の説明】
【０００８】
２      本体生地
３      紐生地
７      緩衝材
【図１】
2018057760.tif 000003
【図２】
2018057760.tif 000004
(57)【要約】      （修正有）【課題】白髪染めブラシ及び毛髪染め液は毛髪のみを染めるもので頭皮は染めることができない。毛髪と頭皮を同時に染められる頭皮毛髪染めようブラシを提供する。【解決手段】毛髪用ブラシの毛束の一本一本をフェルト製の棒でできた染櫛部１に替える。染櫛部取付台２に染櫛部１を毛髪が接触する間隔に植え付ける。櫛部取付台２には手の平を包むようなハンドキーパー３を設ける。ハンドキーパー３に手指を挟み入れ持ち、器に満たされた、毛髪と頭皮を同時に染められる液に染櫛部１を浸し、染櫛部１の頭部分が頭皮に圧着するように髪を何回もとかす。【選択図】図３
2018057765.tif 000002
【特許請求の範囲】
【請求項１】
（１）頭皮用ブラシの毛束はフェルト製の棒を用いる。
（２）フェルト製の棒は髪が接触する範囲で染め櫛部植える。
（３）頭皮毛髪染め液は頭皮に浸透しても害のない有機質のものを用いる
【発明の詳細な説明】
【技術分野】
【０００１】本発明は、頭皮と毛髪を同時に染められるブラシに関するものである。
【背景技術】
【０００２】従来、白髪染めブラシは毛髪のみを染める為のものであった。
【発明の概要】
【発明が解決しようとする課題】
【０００３】白髪染めブラシ及び毛髪染め液は毛髪のみを染めるもので頭皮は染めることができない、高齢化するとともに頭皮の露出が増え男女ともに悩むところである。
本発明は、以上の問題点を解決するためになされたものである。
【課題を解決する為の手段】
【０００４】（イ）毛髪用ブラシの毛の部分をフェルト状の棒にする。
（ロ）フェルト状の棒に毛髪や頭皮を染められる液をしみこませる。
【発明の効果】
【０００５】従来白髪を染め若く見せることはできるが、髪が薄くなると頭皮の露出部分多くなり特に頭頂部が気になり外出がはばかられる人が多い、頭皮も色づけると見た目は髪が濃く見えるので気にならない。
本発明は、染毛だけでなく頭皮も一緒に染められるものである。
【図面の簡単な説明】
【０００６】
【図１】本発明の前面図
【図２】本発明の側面図
【図３】本発明の斜視図
【図４】本発明の使用図
【発明を実施する為の形態】
【０００７】  以下、本発明の実施の形態を説明する。
（イ）毛髪用ブラシの毛束の一本一本をフェルト製の棒でできた染め櫛部（１）に替える
（ロ）染め櫛部取り付け台（２）に染め櫛部（１）は毛髪が接触する間隔に植え付ける。
（ハ）櫛部取り付け台（２）には髪がとかしやすいように手の平を包むようなハンドキー      パー（３）を設ける。
本発明は以上のような構造である。
本発明を使用する時は、ハンドキーパー（３）に手指を挟み入れ持ち、器に満たさ      れた、毛髪と頭皮を同時に染められる液に染め櫛部（１）を浸し、染め櫛部（１）      の頭部分が頭皮に圧着するように髪を何回もとかすと髪と頭皮が同時に染められる      のである。
【符号の説明】
【０００８】  １染め櫛部、２染め櫛部取り付け台、３ハンドキーパー
【図１】
2018057765.tif 000003
【図２】
2018057765.tif 000004
【図３】
2018057765.tif 000005
【図４】
2018057765.tif 000006
(57)【要約】【課題】本考案は飲用後のペットボトルの容器を逆さにして胸あたりに上下動かないように首紐で下げて、容器の上部に顎を置いて猫背で無い姿勢にし、繰り返すことにより猫背で無い姿勢に近付ける。【解決手段】飲用後のペットボトルの容器ＣのキャップＣ１と注ぎ口Ｃ２の凹に糸ＦでリングＤを縛り付け、リングＤに首紐Ｂを通して首に掛けて、容器Ｃを逆さまにしてキャップＣ１を下に、底を上にして上部Ｃ３とし、首紐Ｂによって支えられ状態の上部Ｃ３に顎Ｅを乗せると、顎Ｅが下がらず背が真っ直ぐな状態になり、毎日繰り返すことにより猫背で無い姿勢に近付ける。【選択図】図２
2018057764.tif 000002
【特許請求の範囲】
【請求項１】
猫背を意識し、猫背がこれ以上進行せず、少しでも改善しようと願う人に、飲用後の容器を使用し、底を上部にして、上部を自分の思う理想的な姿勢の顎の位置にして顎を乗せ、乗せた顎が下がらない処置をして猫背で無い姿勢を保ち、習性になる迄繰り返すことにより猫背で無い姿勢に近付けることを特徴とする猫背防止具。
【請求項２】
請求項１の容器は飲用後、重さがゼロ近くになるペットボトル又はそれに近い材質の容器を使用することを特徴とする猫背防止具。
【請求項３】
請求項１の容器には必ずキャップと注ぎ口の間の凹に糸でリングを縛り付け、首紐を通すことを特徴とする猫背防止具。
【請求項４】
請求項３の首紐は両端を結んで輪にし、使用する各人の頭が通るようにして首に掛けることとする。
【請求項５】
請求項１で上部に乗せた顎が下がらない処置は、請求項３でリングに通した首紐を首に掛けてキャップを下に、底を上部にして、首紐によってキャップが下の定位置、同時に顎を乗せる上部も定位置になることを特徴とする猫背防止具。
【発明の詳細な説明】
【技術分野】
【０００１】  本考案は自分は猫背であることを認識し治そうとする人を対象に猫背矯正対策に関することである。
【背景技術】
【０００２】  猫背は自分の意志と行動で治せるが何故か持続せず、放映でケニア人が自国では猫背も腰痛患者もいませんの発信があり考えさせられる。【０００３】  日本人の猫背の原因はこたつと言われ、外国人との比率で世界一猫背の国と言われ、猫背は腰痛の原因の一つと言われている。【０００４】  日本では猫背を治す方法として背中に物差しを差し込んだり、ゴム製品で背中を反らす方法があるが、学校教育で徹底的に猫背を無くすことはしていない。
【発明の開示】
【発明が解決しようとする課題】
【０００５】  猫背になりたくない、現状より良くなりたいと思う人に自分の意志で猫背対策品を簡単に身に付け取り外し、重さを感じないもので良い結果を出すものを提供する。
【発明を解決するための手段】
【０００６】  本考案は猫背防止又は矯正するため、飲用容器のキャップと注ぎ口の間の凹に糸でリングを縛り付けて首紐を通し首に掛けて、容器を逆さ状態にして底を上部とし、首紐によって安定した位置にある上部に顎を置くことにより背筋が真っ直ぐな状態になり、毎日繰り返すことにより問題点を解決している。
【発明の効果】
【０００７】  猫背対策品が子供でも製作可能なので、子供が作って母親に贈り、贈った子供も終生猫背対策を意識し、親子の絆が増し、猫背減少に繋がり、猫背の多い老女の減少に貢献する。
【０００８】  首に下げるだけで猫背が良くなるのを見た人が真似て、猫背減少の好循環が生まれる。
【図面の簡単な説明】
【０００９】
【図１】容器のキャップ近辺にリングを付けた図
【図２】首に首紐付き猫背防止具を掛けた側面図
【発明を実施するための形態】
【００１０】  猫背がこれ以上進行させないことを目的として、飲用後の容器を使用し、キャップと注ぎ口の間の凹に糸で紐が通るリングを縛り付け、リングに紐を通して紐の両端を結んで首に掛けると、キャップが定位置の状態になり、キャップを下にした容器の上部に顎を乗せると背筋が真っ直ぐな状態になる。
【００１１】    〔図１〕
以下、添付図面に従って実施例を説明する。Ｚは首掛け猫背防止具、Ｂは首紐、Ｃは容器、Ｃ１はキャップ、Ｃ２は注ぎ口、Ｄはリング、Ｆは糸で、キャップＣ１と注ぎ口Ｃ２の間の凹に糸でリングＤを縛り付け、キャップＣ１を下にした図である。
【００１２】    〔図２〕
Ｃ３は上部、Ｅは顎、Ａは首でリングＤを通した首紐Ｂを首Ａに掛け、容器ＣのキャップＣ１を下にした首掛け猫背防止具Ｚの装着状態を側面から見た図である。
【００１３】図２でリングＤを通した首紐Ｂを首Ａに掛けると首紐ＢによってキャップＣ１は下位の同位置を保ち、上部Ｃ３は顎Ｅを乗せても同位置を保つので顎Ｅの下がりを防止して猫背になるのを防ぐことになる。
【００１４】  本考案は上述の如く猫背でない状態を目標に、毎日繰り返すことにより猫背で無い姿勢に近付けることである。
【符号の説明】
【００１５】Ａ    首
Ｂ    首紐
Ｃ    容器
Ｃ１  キャップ
Ｃ２  注ぎ口
Ｃ３  上部
Ｄ    リング
Ｅ    顎
Ｆ    糸
Ｚ    首掛け猫背防止具
【図１】
2018057764.tif 000003
【図２】
2018057764.tif 000004